(57)【要約】【課題】構成部材が少なく、設置にが簡便に行え、非使用時に部材をしまっておくために小さな貯蔵施設で対応できる止水装置を提供する。【解決手段】床の上に鉛直方向へ立設された一組の壁または柱の間の開口部を止水する折り畳み式止水装置であって、複数の止水板が折りたたみ可能に結合され、該折り畳み式止水装置の左右の端部及び該折り畳み式止水装置の底部に固着されたシール材と、前記折り畳み式止水装置を設置した際に該止水装置の全体形態を維持するとともに複数の前記止水板の左右の端部を前記一組の壁または柱に向けて押し付けるように働く加圧機構と、を備える。【選択図】図１
2018123560.tif 000002
【特許請求の範囲】
【請求項１】
床の上に鉛直方向へ立設された一組の壁または柱の間の開口部を止水する止水方法であって、
複数の止水板を折りたたみ可能に結合して構成される折り畳み式止水装置を前記開口部の間へ水平方向に広げて展開し、
前記折り畳み式止水装置の左右の端部と前記一組の壁または柱の間が水密になるように水平方向へ加圧するとともに、
前記折り畳み式止水装置の底部と前記床との間が水密になるように前記床に向けて鉛直方向へ加圧して前記開口部の止水を行う止水方法。
【請求項２】
前記折り畳み式止水装置の左右の端部と前記一組の壁または柱の間及び前記折り畳み式止水装置の底部と前記床の間にシール材が設けられることを特徴とする請求項１に記載の止水方法。
【請求項３】
前記シール材が、独立発泡材で構成されることを特徴とする請求項２に記載の止水方法。
【請求項４】
床の上に鉛直方向へ立設された一組の壁又は柱の間の開口部を止水する折り畳み式止水装置であって、
複数の止水板が折りたたみ可能に結合され、
該折り畳み式止水装置の左右の端部及び該折り畳み式止水装置の底部に固着されたシール材と、
前記折り畳み式止水装置を設置した際に前記折り畳み式止水装置の全体の形態を維持するとともに向かい合う前記止水板の互いになす角度を増すように働く加圧機構と、を備えることを特徴とする折り畳み式止水装置。
【請求項５】
前記加圧機構が複数の前記止水板の結合部を加圧する加圧部材と該加圧部材による加圧に抗して前記折り畳み式止水装置の全体形態を維持する形態維持部材を備えることを特徴とする請求項４に記載の折り畳み式止水装置。
【請求項６】
前記形態維持部材が、向かい合う前記止水板が互いになす角度を所定の角度以上に保つ角度保持部材であることを特徴とする請求項５に記載の折り畳み式止水装置。
【請求項７】
前記形態維持部材が、前記止水板の左右の端部が当たる前記一組の壁又は柱に固定された係止部材であることを特徴とする請求項５又は６に記載の折り畳み式止水装置。
【請求項８】
前記加圧部材が、複数の前記止水板の凸になっている結合部に当たって締め付ける前記一組の壁または柱に係止されたロープであることを特徴とする請求項６に記載の折り畳み式止水装置。
【請求項９】
前記加圧部材が、複数の前記止水板の互いになす角度を広げるように前記止水板を押し広げる板間拡大部材であることを特徴とする請求項６に記載の折り畳み式止水装置。
【請求項１０】
前記加圧部材が、前記折り畳み式止水装置の両端の止水板と該止水板に当たる前記一組の壁又は柱の一つとの間に張られたベルトであることを特徴とする請求項６に記載の折り畳み式止水装置。
【請求項１１】
複数の前記止水板の結合部の少なくとも片面が止水シートで覆われていることを特徴とする請求項４乃至１０何れか１項に記載の折り畳み式止水装置。
【請求項１２】
前記シール材が、独立発泡材で構成されることを特徴とする請求項４乃至１１何れか１項に記載の折り畳み式止水装置。
【発明の詳細な説明】
【技術分野】
【０００１】
本発明は、建物の外から流れ込む水を止水する折り畳み式止水装置に関する。
【背景技術】
【０００２】
従来、直立に立設された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）を水圧で抑え、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、構成部材が多く、設置に手間がかかうえに、非使用時に部材をしまっておくために大きな貯蔵施設が必要になる。
【０００５】
また多くの部材を用いる従来の止水装置は重量が大きくなり設置も難しいという問題点がある。したがって、本発明の目的は、軽量で簡単に設置することができる止水装置を提供することにある。
【課題を解決するための手段】
【０００６】
本発明の止水方法は、床の上に鉛直方向へ立設された一組の壁または柱の間の開口部を止水する止水方法であって、複数の止水板を折りたたみ可能に結合して構成される折り畳み式止水装置を前記開口部の間へ水平方向に広げて展開し、前記折り畳み式止水装置の左右の端部と前記一組の壁または柱の間が水密になるように水平方向へ加圧するとともに、前記折り畳み式止水装置の底部と前記床との間が水密になるように前記床に向けて鉛直方向へ加圧して前記開口部の止水を行うことを特徴とする。
【０００７】
複数の止水板を折りたたみ可能に結合して構成される折り畳み式止水装置を前記開口部の間へ水平方向に広げて展開して、両端と下部に応力が加わるように加圧することで簡便に止水することができる。また、折りたたみ可能なので非使用時の貯蔵も容易になる。
【０００８】
本発明の止水方法は、前記折り畳み式止水装置の左右の端部と前記一組の壁または柱の間及び前記折り畳み式止水装置の底部と前記床の間にシール材が設けられ、前記シール材が、独立発泡材で構成されることを特徴とする。
【０００９】
一組の壁または柱の間及び前記折り畳み式止水装置の底部と前記床の間にシール材が設けられ、前記シール材が、独立発泡材で構成されるので、効果的に止水することができる。
【００１０】
本発明の折り畳み式止水装置は、床の上に鉛直方向へ立設された一組の壁または柱の間の開口部を止水する折り畳み式止水装置であって、複数の止水板が折りたたみ可能に結合され、該折り畳み式止水装置の左右の端部及び該折り畳み式止水装置の底部に固着されたシール材と、前記折り畳み式止水装置を設置した際に該止水装置の全体形態を維持するとともに複数の前記止水板の左右の端部を前記一組の壁または柱に向けて押し付けるように働く加圧機構と、を備えることを特徴とする。
【００１１】
複数の止水板が折りたたみ可能に結合されているので、展開しての設置と非使用時の貯蔵が容易になる。また、折り畳み式止水装置の左右の端部及び該折り畳み式止水装置の底部に固着されたシール材により効果的に止水することができる。そして、前記折り畳み式止水装置を設置した際に止水装置の全体形態を保ちつつ複数の前記止水板の左右の端部が前記一組の壁または柱に向けて押し付けられるように働く加圧機構を備えるので、折り畳み式止水装置の左右の端部が壁又は柱へ押し付けられて止水装置の全体形態の保持と止水が効果的に行われる。
【００１２】
本発明の折り畳み式止水装置は、前記加圧機構が前記折り畳み式止水装置を前記一組の壁又は柱へ押し付ける加圧部材と該加圧部材による加圧に抗して前記折り畳み式止水装置の全体形態を維持する形態維持部材を備えることを特徴とする。
【００１３】
加圧機構が畳み式止水装置を一組の壁又は柱へ押し付ける加圧部材と該加圧部材による加圧に抗して前記折り畳み式止水装置の全体形態を維持する形態維持部材を備えるので、折り畳み式止水装置の全体形態が維持され止水装置が一体となって一組の壁または柱により支えられて効果的に止水することができる。
【００１４】
本発明の折り畳み式止水装置は、形態維持部材が、向かい合う前記止水板が互いになす角度を所定の角度以上に保つ角度保持部材であることを特徴とする。
【００１５】
複数の前記止水板が互いになす角度を所定の角度以上に保つ角度保持部材を備えるので止水板のなす角度が保持されて加圧部材による押圧により確実に止水装置にある止水板の左右の端部が前記一組の壁または柱に向けて押し付けられることができる。
【００１６】
本発明の折り畳み式止水装置は、前記形態維持部材が、前記止水板の左右の端部が当たる前記一組の壁又は柱に固定された係止部材であることを特徴とする。
【００１７】
例えば２枚の止水板で構成される  本発明の折り畳み式止水装置は、その左右の両端を壁または柱に固定された係止部材で抑えられて止水装置の形態が維持される。係止部材は具体的には断面がＬ字やＵ字の部材が好適である。
【００１８】
本発明の折り畳み式止水装置は、前記加圧部材が、複数の前記止水板の凸になっている結合部に当たって締め付ける前記一組の壁または柱に係止されたロープであることを特徴とする。
【００１９】
複数の前記止水板の凸になっている結合部に当たって締め付ける一組の壁または柱に係止されたロープは前記止水板の凸になっている結合部に当たることで止水装置を水平に広げる応力を生じることができる。
【００２０】
ロープで加圧される折り畳み式止水装置の移動を防止する移動防止部材が、前記ロープとの間に上記止水板を挟む位置に設けられることを特徴とする。
【００２１】
移動防止部材が、前記ロープとの間に上記止水板を挟む位置に設けられるので、ロープに加圧される折り畳み式止水装置の移動を防止して加圧を効果的に行うことができる。
【００２２】
本発明の折り畳み式止水装置は、前記加圧部材が、複数の前記止水板の互いになす角度を広げるように前記止水板を押し広げる板間拡大部材であることを特徴とする。
【００２３】
前記加圧部材が、複数の前記止水板の互いになす角度を広げるように前記止水板を押し広げる板間拡大部材であるので、屏風を水平に広げる応力を生じることができる。
【００２４】
本発明の折り畳み式止水装置は前記加圧部材が、前記止水装置の両端の止水板と該止水板に当たる前記一組の壁又は柱の一つとの間に張られたベルトであることを特徴とする。
【００２５】
止水装置の両端の止水板を壁又は柱へ強く引きつけることで止水板に固着されたシール材がこれに当たる壁又は柱の間で強い圧力を受けて効果的に止水を行う。
【００２６】
本発明の折り畳み式止水装置は、複数の前記止水板の結合部の少なくとも片面が止水シートで覆われていることを特徴とする。
【００２７】
複数の前記止水板の結合部の少なくとも片面が止水シートで覆われているので効果的に止水板の結合部を止水することができる。
【００２８】
本発明の折り畳み式止水装置は、シール材が独立発泡材で構成されることを特徴とする。
【００２９】
シール材が、独立発泡材で構成されるので水はシール材の中を通ることができないことから高い止水効果を得ることができる。
【図面の簡単な説明】
【００３０】
【図１】加圧部材のロープと１５と止水板の互いになす角度を保持する角度保持部材１７を有する折り畳み式止水装置の設置の様子を示す説明図である。
【図２】加圧部材のロープと１５と折り畳み式止水装置の移動を防止する移動防止部材１８を有する折り畳み式止水装置の設置の様子を示す説明図である。
【図３】記止水板を押し広げる板間拡大部材１９、２０を有する折り畳み式止水装置の設置の様子を示す説明図である。
【図４】扉の開閉が可能な折り畳み式止水装置の設置の様子を示す説明図である。
【図５】折り畳み式止水装置を下方へ加圧するための水袋５０の装着の様子を示す説明図である。
【図６】止水板の角部に重ねて固着されたシール材６１の説明図である。
【図７】水が来る方向に対して凸な場合の水の力の説明図である。
【図８】水が来る方向に対して凹な場合の水の力の説明図である。
【図９】ロープ１５により加圧される場合の屏風型の折り畳み式止水装置の力の説明図である。
【図１０】ロープ１５により加圧される場合の囲い型の折り畳み式止水装置の力の説明図である。
【図１１】両端を壁又は柱へ引きつけるベルト１５０，１６０と止水装置の後部へ装着される移動防止材１８による止水装置における力の説明図である。
【発明を実施するための形態】
【００３１】
以下、本発明の実施形態を図面に基づいて説明する。図１に示す本実施形態の折り畳み式止水装置は、建物へ向かう水を止水して建物内部の浸水を防止するために、床や地面１６に立設される壁や柱１１，１２の間の開口部を止水するように水平方向へ展開されて設置される。以下、図１〜図４を用い屏風のように展開する折り畳み式止水装置の説明をする。
【００３２】
本実施形態において、折り畳み式止水装置の左右方向を幅方向とし、鉛直方向を上下方向とし、幅方向及び上下方向に略直交する方向を奥行方向とする。また、図１の折り畳み式止水装置の手前を前面、後ろを背面とする。
【００３３】
図１に示す折り畳み式止水装置は、主要構成部材の止水用の止水板１，２，３，４を有し、止水板１，２は結合部５、止水板２，３は結合部７、止水板３，４は結合部６で結合される。結合部は蝶番などで繋がれ、止水板は例えばベニヤ合板などの安価なものでよい。結合部は少なくとも片面に止水用のシートを貼ることで、水が漏れないようにする。シート材は例えばポリエステル加工された塩化ビニールシートなどの合成樹脂材料を用いることが好適である。
【００３４】
また、止水板は防水用の塗装をすることで耐久性が増すことができる。止水シートは結合部だけでなく止水板全体を覆うように構成してもよい。止水板が結合部で接続されているので隣り合う止水板のなす角度は自由であり、止水板を折りたたむことで収納スぺースを節約することができる。
【００３５】
使用する際に水平方向へ展開される折り畳み式止水装置は、その両端部を開口部を形成する柱や壁に当たるように設置される。折り畳み式止水装置の水平方向の両端部及び底部にはシール材が固着される。シール材はシール材が接する壁または柱や床へ押し付けられて水密な状態を作る。またシール材としては独立発泡材が好適である。
【００３６】
折り畳み式止水装置の水平方向の両端部は壁又は柱１１，１２の凹みにシール材を介して当たることで、水平方向及び後方への移動を阻止される。壁又は柱に適宜な凹みが無い場合は係止部材としてＬ字型部材１１１，１１２を壁又は柱或いは床へ接着剤などで固着するなどして自主工事での設置が可能である。
【００３７】
壁又は柱に両端を固定されたロープ１５で、前面に凸になった結合部５，６へ圧力を加える。ロープ１５は加圧部材である。ロープ１５と結合部５，６との間の摩擦を無視するとロープによる加圧はロープ１５はロープを締め付けることで結合部５，６を後方へ加圧する。加圧された結合部５は、止水板１及び止水板２へ応力を伝え、加圧された結合部６は、止水板３及び止水板４へ応力を伝える。ロープによる加圧で生じた力は結合部に繋がれた止水板に加わる。
【００３８】
ロープを絞めることで、結合部５及び結合部６には、主に後方へ力が印加され、止水板を介して壁または柱１１，１２或いは、Ｌ字型部材１１１，１１２により受け止められる。また、結合部５に印加された力は止水板１，２へ伝達されると向かい合う止水板１及び止水板２のなす後方の角度を開く方向へ変換される。同様に、結合部６に印加された力は止水板３，４へ伝達されると向かい合う止水板３及び止水板４のなす後方の角度を開く方向へ変換される。
【００３９】
そうすると、結合部５及び結合部６の間の距離を狭める方向へ応力が加わって、水平方向へ展開している折り畳み式止水装置の水平方向の幅が狭まることになり、止水装置の両端部を壁又は柱１１，１２へ押し付ける圧力が減少するので好ましくない。そこで、向かい合う止水板２及び止水板３のなす前方の角度が所定の角度よりも小さくならないように角度保持部材１７を、止水板２及び止水板３のなす前方の角度へ設ける。ここで、角度保持部材は所定の角度よりも広がらないように用いることもできる。角度保持部材を形態対維持部材として適宜に用いることで止水装置の全体形態を維持することができる。
【００４０】
次に、図２に示すのは加圧部材としてベルト１５０，１６０を用い、止水装置が後方へ移動しないように、折り畳み式止水装置の後部へ移動防止部材１８を設けた場合である。ベルト１５０，１６０を締め付けるとベルトの長さを減らす方向すなわち後方へ力が掛かるので折り畳み式止水装置を後方へ移動させようとする。その結果、止水装置の両端部は壁又は柱１１，１２やＬ字材１１１，１１２に当たり後方への移動を妨げられるが結合部７は後方へ移動し、それに伴って止水板２及び止水板３の前方で作る角度が小さくなり折り畳み式止水装置の水平方向の寸法が減少して止水機能が損なわれる。このＬ字部材は止水装置の端部を係止する係止部材であり、止水装置の後方への移動を防止するとともに全体形態を維持する。
【００４１】
そこで、結合部７の後方への移動を防止する移動防止部材１８を壁又は柱１１，１２の間へ装着してベルト１５０，１６０で張力を加えた際の折り畳み式止水装置の水平方向の幅の減少が起こらないようにする。実施する場合はベルトをゴムのような弾性体で構成することが好適である。また、弾性体として伸長ばねを用いても良い。ここで移動防止部材１８は結合部７に当たる部分に凹みをつけることで止水装置の全体形態を維持するかんぬきの働きをする。
【００４２】
次に図３に示すのは止水板１及び止水板２間の間隔を広げるように働く板間拡大部材１９と、止水板３及び止水板４間の間隔を広げるように働く板間拡大部材２０を備えた折り畳み式止水装置である。折り畳み式止水装置の両端は板間拡大部材１９，２０により壁又は柱１１，１２に強く押し付けられる。この場合、板間拡大部材１９，２０が加圧部材となる。板間拡大部材１９，２０は突っ張り棒のように圧縮ばねを用いて止水板１と止水板２及び止水板３と止水板４の間の距離を広げるように設置する。
【００４３】
折り畳み式止水装置は、床や地面の上に広げられるので、その下端は床や地面にシール材を介して接する。シール材として発泡材を用いた場合はその止水性能を確保するために圧縮することが必要であるが折り畳み式止水装置の自重がシール材の圧縮に十分な大きさであれば下方への加圧は不要である。しかしながら、下方への圧力が不足する場合には、図５に示す下方加圧用水袋５０、５２を用いる。水袋には、止水板に係止する係止具５１が設けられこれを止水板の上端に掛けて水を入れることで所要の下方圧力を得ることができる。水袋は保持用の穴の開いた合成樹脂製の袋が好適で、この穴に係止具としてのＳ字具の一端を引っ掛け他端を止水板の上端へ引っ掛けることで下方への圧力を得ることができる。また、この袋は丈夫な布で作り中に薄手のビニール袋を入れても良い。
【００４４】
図４に示すように、止水板のなす角度を適宜に取ることで止水された状態でドアの開閉が可能な状態にできる展開式止水装置を構成することができる。加圧部材であるロープ１５が水の来る前方へ凸になった止水板１０１と止水板１０２の結合部１０、止水板１０２と止水板１０３の結合部１１を後方へ押すように加圧する。水圧により結合部は向かい合う止水板の作る後方の角度が減少するような力が働くので所定の角度以下にならないように角度保持部材１７１，１７２を用いる。また、加圧部材として、壁又は柱１１０と止水板１０１及び壁又は柱１２０と止水板１０３との間に弾性を持つベルトを張って加圧部材としても良い。
【００４５】
展開式止水装置の両端部は壁又は柱１１，１２に固定された係止部材１１１，１１２に当たり、水平方向及び後方へ力を加える。このように構成することで扉１３の開閉ができる余地を確保して止水を実現することができる。
【００４６】
図６は止水板の角部分にシール材を重ねて使用する様子を示したものである。角の部分は隙間ができやすいのでシール材の厚みを大きくして止水板と床と壁又は柱の継ぎ目になじみやすいようにする。
【００４７】
次に、図７及び図８を用いて、図の下方から水圧が掛かる場合の応力の掛かり方の説明をする。水圧は、止水板の水につかっている部分に対し深さに応じた力を直角に止水板に加える。
【００４８】
図７を用いて水の来る方向に対して凸になった止水板に加わる水の力による影響を説明する。止水板１又は止水板３の水に浸かっていつ部分に分布している力を止水板の中心へ加えられる力Ｆ１又はＦ３で置き換える。水圧Ｆ１、Ｆ３により止水板１や止水板３が受けた力Ｆ１０又はＦ３０は力の平行四辺形により水平方向の力Ｆ１２又はＦ３２と前後方向の力Ｆ１１又はＦ３１へ分解することができる。同様に、止水板２又は止水板４へ加わる水圧をＦ２又はＦ４すると止水板の受ける力Ｆ２０又はＦ４０は力の平行四辺形により水平方向の力Ｆ２２又はＦ４２と前後方向の力Ｆ２１又はＦ４１へ分解することができる。
【００４９】
止水板１又は止水板３及び止水板２又は止水板４に印加される水圧Ｆ１又はＦ３及びＦ２又はＦ４によって、止水板１又は止水板３及び止水板２又は止水板４は後方へ押される。同時に、２枚の止水板１又は止水板３及び止水板２又は止水板４は互いに近づく方向への力を受け、止水板１と止水板２の後方でなす角θ５及び止水板３と止水板４の後方でなす角θ６は減少することとなる。そこで、止水板１又は止水板３と止水板２又は止水板４の位置及び互いになす角度を水圧により変えられないための対策が必要になる。
【００５０】
次に図８を用いて水の来る方向に対して凹になった止水板に加わる水の力による影響を説明する。止水板の水に浸かっている部分への分布している力を止水板の中心へ加えられる力で置き換える。水圧Ｆ２により止水板２が受けた力Ｆ２０は力の平行四辺形により水平方向の力Ｆ２２と前後方向の力Ｆ２１へ分解することができる。同様に、止水板３へ加わる水圧をＦ３とすると止水板の受ける力Ｆ３０は力の平行四辺形により水平方向の力Ｆ３２と前後方向の力Ｆ３１へ分解することができる。
【００５１】
止水板２及び止水板３に印加される水圧Ｆ２及びＦ３によって、止水板２及び止水板３は後方へ押される。同時に、２枚の止水板は互いに離れる方向への力を受け、止水板２と止水板３の後方でなす角θ７は増加することとなる。そこで、止水板２と止水板３の位置及び互いになす角度を水圧により変えられないための対策が必要になるる。
【００５２】
上記の説明で水圧によって折り畳み式止水装置は後方へ押されることと、向かい合う２枚の止水板の間の角度が変化させられることがわかる。また、止水装置の両端部にはシール材が貼られており、止水性能を確保するためにはシール材を壁または柱１１，１２あるいは、壁または柱１１，１２に固定される係止部材１１１，１１２へ圧接させる必要がある。
【００５３】
図９を用いて、水圧による移動などへの対策方法を説明する。水圧による後方への移動の阻止は壁または柱１１，１２あるいは壁または柱１１，１２に固定される係止部材１１１，１１２に止水装置の横方向の端部を当てることで行う。壁または柱１１，１２に固定される係止部材１１１，１１２に当たっている止水装置の横方向の端部については後方への移動を防止することができる。しかし、結合部７についてはその後方に支えるものが無い場合は水圧により後方へ移動する。この動きを直接防止するのが、図２の移動防止部材１８である。移動防止部材１８は所定の剛性を有する棒状のものが好適で、その両端部を壁または柱１１，１２に固定することで結合部７の後方への移動を防止することができる。
【００５４】
図９において壁または柱１１、１２に固定された加圧部材となるロープにより前方へ凸になっている結合部５及び結合部６を加圧した場合を説明する。ここでロープ１５と止水装置との間の摩擦を無視する。結合部５において、ロープ１５は移動しないので張力Ｆ５０と張力Ｆ５１とはその大きさが等しい。Ｆ５０とＦ５１の合成力はＦ５０とＦ５１を両辺とする平行四辺形の対角線となるＦ５２である。ここで、Ｆ５２とＦ５０及びＦ５２とＦ５１との間の角度αは等しい。
【００５５】
そして、ロープ１５による加圧で生じたＦ５２は水平方向の壁又は柱１２へ向けた分力Ｆ５４と後方への分力Ｆ５３になる。ここで、止水板１には水圧によって壁または柱１２へ向けた力Ｆ１２（図７、図８を参照）が働く。止水板２には水圧によって壁または柱１１へ向けた力Ｆ２２（図７、図８を参照）が働く。Ｆ１２とＦ２２は大きさが同じで向きが反対なので、結合部での角度が保たれていれば互いに打ち消しあう。
【００５６】
同様に、結合部６についてもロープ１５は移動しないので張力Ｆ６０と張力Ｆ６１とはその大きさが等しい。Ｆ６０とＦ６１の合成力はＦ６０とＦ６１を両辺とする平行四辺形の対角線となるＦ６２である。ここで、Ｆ６２とＦ６０及びＦ６２とＦ６１との間の角度βは等しい。
【００５７】
そして、ロープ１５による加圧で生じたＦ６２は水平方向の壁又は柱１１へ向けた分力Ｆ６４と後方への分力Ｆ６３になる。ここで、止水板３には水圧によって壁または柱１２へ向けた力Ｆ３２（図７、図８を参照）が働く。止水板４には水圧によって壁または柱１１へ向けた力Ｆ４２（図７、図８を参照）が働く。Ｆ３２とＦ４２は大きさが同じで向きが反対なので、結合部での角度が保たれていれば互いに打ち消しあう。
【００５８】
そこで結合部で止水板が作る角度を保持するために角度保持部材１７を用いる。結合部７の後方への移動と止水板２及び止水板３の前方でなす角θ７の減少は対応しているので結合部１７の前方に止水板２及び止水板３により作られる角θ７の減少を角度保持部材により防止することで結合部７の後方への移動を防止することができる。角度保持部材は必要に応じて、他の結合部へ設置してもよい。
【００５９】
上述のように、折り畳み式止水装置において、加圧部材としてロープ１５を用い、後方への移動を防止する角度保持部材１７を用いることで図１に示すような折り畳み式止水装置を構成することができる。
【００６０】
次に図１０を用いて図４で説明した展開式止水装置における力の関係を説明する。止水板１０１には水圧Ｆ７が加わる。加わった力Ｆ７０は水平方向の分力Ｆ７２と後方への分力Ｆ７１に分解することができる。また、止水板１０３に加わる水圧Ｆ９による力Ｆ９０は水平方向への分力Ｆ９２と後方への分力Ｆ９１へ分解することができる。水圧Ｆ７による水平方向への分力Ｆ７２と水圧Ｆ９による水平方向への分力Ｆ９２とは、止水装置が剛体であれば大きさが等しく方向が逆なので互いに打ち消しあう。
【００６１】
また、止水板１０２へ加わる水圧Ｆ８による力は後方へ向くが止水板１０１と止水板１０２へ伝達されて係止部材１１１、１１２により移動を防止される。ここで、加圧部材のロープ１５により結合部１０と結合部１１を前方から締め付けるように張力を加える。止水装置とロープの間の摩擦は無視する。
【００６２】
結合部１０を加圧するロープの張力Ｆ１０１とＦ１０２とは釣り合っているので大きさが等しくなるＦ１０１とＦ１０２との合成力Ｆ１０はＦ１０１とＦ１０２の大きさが等しいのでＦ１０とＦ１０１、Ｆ１０とＦ１０２との間の角度は共にσとなる。
【００６３】
同様に、結合部１１を加圧するロープの張力Ｆ１１１とＦ１１２とは釣り合っているので大きさが等しくなるＦ１１１とＦ１１２との合成力Ｆ１１はＦ１１１とＦ１１２の大きさが等しいのでＦ１１とＦ１１１、Ｆ１１とＦ１１２との間の角度は共にδとなる。
【００６４】
ロープによる加圧で生じた水平方向の分力Ｆ１０４とＦ１１４は大きさが等しく向きが逆なので打ち消しあう。そうするとロープ１５の加圧による力は後方への力Ｆ１００とＦ１１０を加えたものになる。すべての後方への力は係止具１１１、１１２により受け止められ、止水装置の両端に固着されたシール材を圧迫して止水性能を確保する。
【００６５】
次に、図１１を用いてベルト１５０，１６０によって止水装置の両端の止水板を壁又は柱へ引きつける場合の力の説明をする。止水板１乃至４にはそれぞれ水による力Ｆ１乃至Ｆ４が加わる。さらに、ベルト１５０により止水板１が壁又は柱１１０へ引きつけられ、ベルト１６０により止水板４が壁又は柱１２０へ引きつけられる。
【００６６】
ベルト１５０の張力Ｆ１５０は止水板１に加わって水平方向の力Ｆ１５２と後方への力Ｆ１５１へ分解される。また、ベルト１６０の張力Ｆ１６０は止水板４に加わって水平方向の力Ｆ１６２と後方への力Ｆ１６１へ分解される。ベルトの張力による後方への力と水圧による後方への力は、移動防止部材１８と壁又は柱１１０、１２０或いは係止部材１１１、１１２により受け止められ止水装置の後方への移動が防止される。
【００６７】
折り畳み式止水装置の撤去は、設置と逆の手順で撤去されればよい。ロープで加圧している場合はロープを外し、下方への加圧に水を用いている場合は水袋を除去する。止水板以外の部材が取り外された後に、止水板を折りたたんで収納する。
【００６８】
なお、本発明は、前記実施形態に限定されるものではなく、本発明の目的が達成できる他の構成等を含み、以下に示すような変形等も本発明に含まれる。
【００６９】
また、前記実施形態では、シール材６０として独立気泡の柔軟な材料を用いたが、ポリブテン樹脂及び合成樹脂接着剤を基材とするパテでも良い。シール材６０は、加圧されることで変形して対象物に密着するとともに、変形後の形状を維持するような性質を有していればよく、例えば、軟性を有する（硬化剤を含まない）その他の樹脂粘土等であってもよいし、発泡ウレタン等の発泡性の部材であってもよい。即ち、止水材の床に接する面に沿うようにスプレーによって発泡ウレタンを設け、そこへ止水装置を載せてとで止水手段としてもよい。
【００７０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７１】
１、２，３，４、１０１，１０２，１０３  止水板
５，６、７、１０，１１  止水板の結合部
１３  建具（ドア）
１５  加圧部材であるロープ
１６  床（地面）
１７  角度保持部材
１８  移動防止部材
１９、２０  板間拡大部材
５０、５２  下方加圧用水袋
５１  タンク係止具
６０  シール材
６１  重ねられたシール材
１００  折り畳み式止水装置
１１１，１１２  係止部材
１１０，１２０  壁または柱
１５０，１６０  ベルト（ゴムベルト）
１７１，１７２，１７３  角度保持部材
【図１】
2018123560.tif 000003
【図２】
2018123560.tif 000004
【図３】
2018123560.tif 000005
【図４】
2018123560.tif 000006
【図５】
2018123560.tif 000007
【図６】
2018123560.tif 000008
【図７】
2018123560.tif 000009
【図８】
2018123560.tif 000010
【図９】
2018123560.tif 000011
【図１０】
2018123560.tif 000012
【図１１】
2018123560.tif 000013